(57)【特許請求の範囲】
【請求項１】
既築側の建物ユニットと増築側の建物ユニットの接合部で、それらの各建物ユニットの壁パネルの枠組内に接合用木桟を固定し、両建物ユニットを隣接配置させた状態でそれらの接合用木桟を互いに釘打ちして接合するユニット建物の増築方法であって、
前記既築側の建物ユニットの壁パネルの枠組の外面から外壁をはがし、その枠組内に接合用木桟を固定した後、その枠組の外面に補強用壁板を貼るユニット建物の増築方法。
【請求項２】
前記両建物ユニットを隣接配置させた状態で、それらの接合用木桟が設けられている接合部の間隙にスペーサ受金物を挿入し、このスペーサ受金物内にスペーサを装填し、それらの接合用木桟をスペーサとともに釘打ちして接合する請求項１に記載のユニット建物の増築方法。
【請求項３】
前記スペーサ受金物として、既築側の建物ユニットの補強用壁板の外面に添設される縦板と、増築側の建物ユニットの接合用木桟に添設される縦板と、両縦板の下端同士をつなぐ底板と、増築側の縦板の上端から増築側の建物ユニットの接合用木桟の上面の側に延びて該接合用木桟の上面に載る落下防止用受板とを有してなるものを用いる請求項２に記載のユニット建物の増築方法。
【請求項４】
前記建物ユニットが屋根ユニットであり、前記壁パネルが小壁パネルである請求項１〜３のいずれかに記載のユニット建物の増築方法。
【請求項５】
既築側の建物ユニットと増築側の建物ユニットの接合部で、それらの各建物ユニットの壁パネルの枠組内に接合用木桟が固定され、両建物ユニットを隣接配置させた状態でそれらの接合用木桟が互いに釘打ちされて接合されたユニット建物であって、
前記既築側の建物ユニットの壁パネル枠組内に接合用木桟が固定され、その枠組の外面に補強用壁板が貼られてなるユニット建物。
【請求項６】
前記両建物ユニットを隣接配置させた状態で、それらの接合用木桟が設けられている接合部の間隙にスペーサ受金物が挿入され、このスペーサ受金物内にスペーサが装填され、それらの接合用木桟がスペーサとともに釘打ちされて接合された請求項５に記載のユニット建物。
【請求項７】
前記スペーサ受金物が、既築側の建物ユニットの補強用壁板の外面に添設される縦板と、増築側の建物ユニットの接合用木桟に添設される縦板と、両縦板の下端同士をつなぐ底板と、増築側の縦板の上端から増築側の建物ユニットの接合用木桟の上面の側に延びて該接合用木桟の上面に載る落下防止用受板とを有してなる請求項６に記載のユニット建物。
【請求項８】
前記建物ユニットが屋根ユニットであり、前記壁パネルが小壁パネルである請求項５〜７のいずれかに記載のユニット建物。
【発明の詳細な説明】
【技術分野】
【０００１】
本発明は、既築側の建物ユニットと増築側の建物ユニットを接合して構築されるユニット建物の増築方法及びユニット建物に関する。
【背景技術】
【０００２】
複数の建物ユニットが隣接配置されて接合されるユニット建物として、特許文献１に記載の如く、相隣る下階建物ユニットの壁パネルの上端面部間に板金製接続具が掛け渡されており、該板金製接続具には１つの下階建物ユニットに対応して複数のくぎ孔が設けられ、このくぎ孔を利用してくぎにより上記板金製接続具が上記上端面部に固着されることにより上記相隣る下階建物ユニットが接続されており、下階建物ユニットの壁パネルの上端面及び板金製接続具の上部に上階建物ユニットの床パネルを当接載置するものがある。複数の建物ユニットの各壁パネルを確実に接続することができる。
【特許文献１】特公平5-38102
【発明の開示】
【発明が解決しようとする課題】
【０００３】
しかしながら、特許文献１に記載の板金製接続具を用いる建物ユニットの接合技術は、既築側の建物ユニットと増築側の建物ユニットの接合構造には適用できない。何故ならば、既築側で下階建物ユニットの上部に上階建物ユニット（上階エアユニット以外に屋根ユニットも含む）が載置されている状態下では、その既築側の下階建物ユニットの壁パネルの上端面の上に板金製接続具を差し入れる等により設けることができず、板金製接続具をそもそも使用できないからである。
【０００４】
本発明の課題は、既築側の建物ユニットと増築側の建物ユニットを簡易かつ確実に接合することにある。
【課題を解決するための手段】
【０００５】
請求項１の発明は、既築側の建物ユニットと増築側の建物ユニットの接合部で、それらの各建物ユニットの壁パネルの枠組内に接合用木桟を固定し、両建物ユニットを隣接配置させた状態でそれらの接合用木桟を互いに釘打ちして接合するユニット建物の増築方法であって、前記既築側の建物ユニットの壁パネルの枠組の外面から外壁をはがし、その枠組内に接合用木桟を固定した後、その枠組の外面に補強用壁板を貼るようにしたものである。
【０００６】
請求項２の発明は、請求項１の発明において更に、前記両建物ユニットを隣接配置させた状態で、それらの接合用木桟が設けられている接合部の間隙にスペーサ受金物を挿入し、このスペーサ受金物内にスペーサを装填し、それらの接合用木桟をスペーサとともに釘打ちして接合するようにしたものである。
【０００７】
請求項３の発明は、請求項２の発明において更に、前記スペーサ受金物として、既築側の建物ユニットの補強用壁板の外面に添設される縦板と、増築側の建物ユニットの接合用木桟に添設される縦板と、両縦板の下端同士をつなぐ底板と、増築側の縦板の上端から増築側の建物ユニットの接合用木桟の上面の側に延びて該接合用木桟の上面に載る落下防止用受板とを有してなるものを用いるようにしたものである。
【０００８】
請求項４の発明は、請求項１〜３のいずれかの発明において更に、前記建物ユニットが屋根ユニットであり、前記壁パネルが小壁パネルであるようにしたものである。
【０００９】
請求項５の発明は、既築側の建物ユニットと増築側の建物ユニットの接合部で、それらの各建物ユニットの壁パネルの枠組内に接合用木桟が固定され、両建物ユニットを隣接配置させた状態でそれらの接合用木桟が互いに釘打ちされて接合されたユニット建物であって、前記既築側の建物ユニットの壁パネル枠組内に接合用木桟が固定され、その枠組の外面に補強用壁板が貼られてなるようにしたものである。
【００１０】
請求項６の発明は、請求項５の発明において更に、前記両建物ユニットを隣接配置させた状態で、それらの接合用木桟が設けられている接合部の間隙にスペーサ受金物が挿入され、このスペーサ受金物内にスペーサが装填され、それらの接合用木桟がスペーサとともに釘打ちされて接合されるようにしたものである。
【００１１】
請求項７の発明は、請求項６の発明において更に、前記スペーサ受金物が、既築側の建物ユニットの補強用壁板の外面に添設される縦板と、増築側の建物ユニットの接合用木桟に添設される縦板と、両縦板の下端同士をつなぐ底板と、増築側の縦板の上端から増築側の建物ユニットの接合用木桟の上面の側に延びて該接合用木桟の上面に載る落下防止用受板とを有してなるようにしたものである。
【００１２】
請求項８の発明は、請求項５〜７のいずれかの発明において更に、前記建物ユニットが屋根ユニットであり、前記壁パネルが小壁パネルであるようにしたものである。
【発明の効果】
【００１３】
（請求項１、５）
(a)既築側の建物ユニットと増築側の建物ユニットの接合部で、それらの各建物ユニットの壁パネルの枠組内に接合用木桟を固定し、両建物ユニットを隣接配置させた状態でそれらの接合用木桟を互いに釘打ちして接合するものであり、既築側の建物ユニットと増築側の建物ユニットを簡易かつ確実に接合することができる。
【００１４】
(b)既築側の建物ユニットの壁パネルの接合用木桟が固定された枠組の外面に補強用壁板を貼ることにより、その壁パネルを補強できる。
既築側の建物ユニットの壁パネルの枠組の外面から外壁をはがし、その枠組内に接合用木桟を固定することにより、屋根裏に入り込まずに外側から接合用木桟を固定することができ、作業性を向上できる。
【００１５】
（請求項２、３、６、７）
(c)両建物ユニットを隣接配置させた状態で、それらの接合用木桟が設けられている接合部の間隙にスペーサ受金物を挿入し、このスペーサ受金物内にスペーサを装填し、それらの接合用木桟をスペーサとともに釘打ちして接合することにより、既築側の建物ユニットと増築側の建物ユニットを強固に接合することができる。
【００１６】
（請求項４、８）
(d)前述(a)〜(c)の建物ユニットが屋根ユニットであり、壁パネルが小壁パネルであるものとすることにより、既築側の建物ユニットと増築側の建物ユニットを上述(a)〜(c)により簡易かつ確実に接合することができる。
【発明を実施するための最良の形態】
【００１７】
図１はユニット建物を示す模式平面図、図２は既築側の建物ユニットを示し、（Ａ）は図１のＡ部を示す斜視図、（Ｂ）は（Ａ）の要部拡大図、図３は図１のＢ部を示す斜視図、図４は図１のIV−IV線に沿う断面図である。
【実施例】
【００１８】
図１に示すユニット建物１は、複数の建物ユニット１０を隣接設置して構成済の既築建物ユニット群１Ａに、複数の建物ユニット２０を隣接設置して構成される増築建物ユニット群１Ｂを接合して構築される。
【００１９】
既築建物ユニット群１Ａの各建物ユニット１０は、基礎上に設置される部屋ユニット１０Ａと、部屋ユニット１０Ａの上部に設置される屋根ユニット１０Ｂとからなる（図４）。増築建物ユニット群１Ｂの各建物ユニット２０は、基礎上に設置される部屋ユニット２０Ａと、部屋ユニット２０Ａの上部に設置される屋根ユニット２０Ｂとからなる（図４）。
【００２０】
ユニット建物１は、既築建物ユニット群１Ａを構成している各建物ユニット１０（部屋ユニット１０Ａ及び屋根ユニット１０Ｂ）のそれぞれに、増築建物ユニット群１Ｂを構成する各建物ユニット２０（部屋ユニット２０Ａ及び屋根ユニット２０Ｂ）のそれぞれを隣接設置し、それらの相隣接する建物ユニット１０と建物ユニット２０、例えば相隣接する部屋ユニット１０Ａと部屋ユニット２０Ａ、又は相隣接する屋根ユニット１０Ｂと屋根ユニット２０Ｂを接合して構築される。以下、既築建物ユニット群１Ａの屋根ユニット１０Ｂと増築建物ユニット群１Ｂの屋根ユニット２０Ｂを接合する構造について説明する。
【００２１】
既築側の各屋根ユニット１０Ｂは、増築側の屋根ユニット２０Ｂが接合される接合部Ａ（図１）において、図２〜図４に示す小壁パネル１１を有し、小壁パネル１１の枠組１２の上にタルキ１３、野地板１４を設け、野地板１４の上に防水シート、屋根瓦等を設けている。
【００２２】
屋根ユニット１０Ｂの小壁パネル１１は、枠組１２の外面に既設されていた不図示の外壁をはがし、その枠組１２内に接合用木桟１５を固定された後、その枠組１２の外面に補強用壁板１６（図４）を貼られる。補強用壁板１６を設けることは必須でない。接合用木桟１５は、小壁パネル１１の外側から、枠組１２の相隣る縦枠１２Ａに釘打ち固定される（図２（Ｂ））。
【００２３】
各屋根ユニット２０Ｂは、屋根ユニット１０Ｂと同様に、図３、図４に示す小壁パネル２１を有し、小壁パネル２１の枠組２２の上にタルキ２３、野地板２４を設け、野地板２４の上に防水シート、屋根瓦等が設けられる。
【００２４】
屋根ユニット２０Ｂの小壁パネル２１は、枠組２２内に接合用木桟２５を固定される。接合用木桟２５は、小壁パネル２１の外側から、枠組２２の相隣る縦枠２２Ａに釘打ち固定される。
【００２５】
ユニット建物１は、既築建物ユニット群１Ａの各屋根ユニット１０Ｂと増築建物ユニット群１Ｂの各屋根ユニット２０Ｂを隣接配置させた状態で、図３、図４に示す如く、それらの接合用木桟１５、２５を互いに釘打ちして接合される。
【００２６】
本実施例では、両屋根ユニット１０Ｂ、２０Ｂを隣接配置させた状態で、それらの接合用木桟１５、２５が設けられている接合部の間隙（本実施例では補強用壁板１６と接合用木桟２５の間隙）にスペーサ受金物３０を挿入し、このスペーサ受金物３０内にスペーサ３１を装填し、それらの接合用木桟１５、２５を補強用壁板１６及びスペーサ３１とともに釘打ちして接合する。
【００２７】
スペーサ受金物３０は、図４に示す如く、屋根ユニット１０Ｂの補強用壁板１６の外面に添設される縦板３０Ａと、屋根ユニット２０Ｂの接合用木桟２５に添設される縦板３０Ｂと、縦板３０Ａの下端と縦板３０Ｂの下端をつなぐ逆Ｖ字状に屈曲された底板３０Ｃと、縦板３０Ｂの上端から接合用木桟２５の上面の側に延びて接合用木桟２５の上面に載る落下防止用受板３０Ｄとを有する。スペーサ受金物３０は、補強用壁板１６と接合用木桟２５の間隙の大きさに応じて底板３０Ｃの底幅を収縮させて両縦板３０Ａ、３０Ｂをその間隙内に挿入し、受板３０Ｄより上方に延在している縦板３０Ａの上端側側面によりスペーサ３１の挿入をガイドする。
【００２８】
また、本実施例では、図４に示す如く、両屋根ユニット１０Ｂ、２０Ｂを隣接配置させた状態で、それらの垂木１３、２３の間隙にスペーサ受金物４０を挿入し、このスペーサ受金物４０内にスペーサ４１を装填する。
【００２９】
スペーサ受金物４０は、図４に示す如く、両屋根ユニット１０Ｂ、２０Ｂの垂木１３、２３のそれぞれに添設される縦板４０Ａ、４０Ｂと、縦板４０Ａの下端と縦板４０Ｂの下端をつなぐ逆Ｖ字状に屈曲された底板４０Ｃと、縦板４０Ａの上端から野地板１４の上面の側に延びて野地板１４の上面に載る落下防止用受板４０Ｄと、縦板４０Ｂの上端から野地板２４の上面の側に延びて野地板２４の上面に載る落下防止用受板４０Ｅとを有する。スペーサ受金物４０は、垂木１３と垂木２３の間隙の大きさに応じて底板４０Ｃの底幅を収縮させて両縦板４０Ａ、４０Ｂをその間隙内に挿入し、両受板４０Ｄ、４０Ｅの上に掛け渡されて被覆される野地つなぎ板４２がそれら受板４０Ｄ、４０Ｅとともに野地板１４、２４、垂木１３、２３に釘打ち固定される。
【００３０】
従って、既築建物ユニット群１Ａの屋根ユニット１０Ｂと増築建物ユニット群１Ｂの屋根ユニット２０Ｂは以下の手順で接合されてユニット建物１を構築する。
(1)既築建物ユニット群１Ａを構成している各建物ユニット１０（部屋ユニット１０Ａ及び屋根ユニット１０Ｂ）のそれぞれに、増築建物ユニット群１Ｂを構成する各建物ユニット２０（部屋ユニット２０Ａ及び屋根ユニット２０Ｂ）のそれぞれを隣接設置する。このとき、屋根ユニット１０Ｂは予め接合用木桟１５、補強用壁板１６を備え、屋根ユニット２０Ｂは予め接合用木桟２５を備える。
【００３１】
(2)両屋根ユニット１０Ｂ、２０Ｂの接合用木桟１５、２５が設けられている接合部の間隙（本実施例では補強用壁板１６と接合用木桟２５の間隙）にスペーサ受金物３０を挿入し、このスペーサ受金物３０内にスペーサ３１を装填し、それらの接合用木桟１５、２５を補強用壁板１６及びスペーサ３１とともに釘打ちして接合する。
【００３２】
(3)両屋根ユニット１０Ｂ、２０Ｂの垂木１３、２３の間隙にスペーサ受金物４０を挿入し、このスペーサ受金物４０内にスペーサ４１を装填する。スペーサ受金物４０の両受板４０Ｄ、４０Ｅの上に野地つなぎ板４２を被覆し、この野地つなぎ板４２を受板４０Ｄ、４０Ｅとともに野地板１４、２４、垂木１３、２３に釘打ち固定する.
【００３３】
本実施例によれば以下の作用効果を奏する。
(a)既築側の屋根ユニット１０Ｂと増築側の屋根ユニット２０Ｂの接合部Ａで、それらの各屋根ユニット１０Ｂ、２０Ｂの小壁パネル１１、２１の枠組１２、２２内に接合用木桟１５、２５を固定し、両屋根ユニット１０Ｂ、２０Ｂを隣接配置させた状態でそれらの接合用木桟１５、２５を互いに釘打ちして接合するものであり、既築側の屋根ユニット１０Ｂと増築側の屋根ユニット２０Ｂを簡易かつ確実に接合することができる。
【００３４】
(b)既築側の屋根ユニット１０Ｂの小壁パネル１１の接合用木桟１５が固定された枠組１２の外面に補強用壁板１６を貼ることにより、その小壁パネル１１を補強できる。
【００３５】
既築側の屋根ユニット１０Ｂの小壁パネル１１の枠組１２の外面から外壁をはがし、その枠組１２内に接合用木桟１５を固定することにより、屋根裏に入り込まずに外側から接合用木桟１５を固定することができ、作業性を向上できる。
【００３６】
(c)両屋根ユニット１０Ｂ、２０Ｂを隣接配置させた状態で、それらの接合用木桟１５、２５が設けられている接合部Ａの間隙にスペーサ受金物３０を挿入し、このスペーサ受金物３０内にスペーサ３１を装填し、それらの接合用木桟１５、２５をスペーサ３１とともに釘打ちして接合することにより、既築側の屋根ユニット１０Ｂと増築側の屋根ユニット２０Ｂを強固に接合することができる。
【００３７】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明では、既築側の部屋ユニット１０Ａと増築側の部屋ユニット２０Ａの接合部で、それらの各部屋ユニット１０Ａ、２０Ａの壁パネルの枠組内に接合用木桟を固定し、両部屋ユニット１０Ａ、２０Ａを隣接配置させた状態でそれらの接合用木桟を互いに釘打ちして接合するものでも良い。このとき、既築側の部屋ユニット１０Ａの壁パネルの枠組の外面から外壁をはがし、その枠組内に接合用木桟を固定した後、その枠組の外面に補強用壁板を貼ることができる。また、両部屋ユニット１０Ａ、２０Ａを隣接配置させた状態で、それらの接合用木桟が設けられている接合部の間隙にスペーサ受金物を挿入し、このスペーサ受金物内にスペーサを装填し、それらの接合用木桟をスペーサとともに釘打ちして接合することができる。
【図面の簡単な説明】
【００３８】
【図１】図１はユニット建物を示す模式平面図である。
【図２】図２は既築側の建物ユニットを示し、（Ａ）は図１のＡ部を示す斜視図、（Ｂ）は（Ａ）の要部拡大図である。
【図３】図３は図１のＢ部を示す斜視図である。
【図４】図４は図１のIV−IV線に沿う断面図である。
【符号の説明】
【００３９】
１  ユニット建物
１Ａ  既築建物ユニット群
１Ｂ  増築建物ユニット群
１０  建物ユニット
１０Ａ  部屋ユニット
１０Ｂ  屋根ユニット
１１  小壁パネル（壁パネル）
１２  枠組
１５  接合用木桟
１６  補強用壁板
２０  建物ユニット
２０Ａ  部屋ユニット
２０Ｂ  屋根ユニット
２１  小壁パネル（壁パネル）
２２  枠組
２５  接合用木桟
３０  スペーサ受金物
３０Ａ、３０Ｂ  縦板
３０Ｃ  底板
３０Ｄ  落下防止用受板
３１  スペーサ
【図１】
0005123725.tif 000002
【図２】
0005123725.tif 000003
【図３】
0005123725.tif 000004
【図４】
0005123725.tif 000005